(57)【要約】【課題】本発明は画像データに含まれている孤立点を出力画質モードに対応して置き換え画素で置き換える画像処理装置、画像読取装置及びカラー複写装置を提供する。【解決手段】デジタルフルカラー複写装置は、原稿の画像データの孤立点を所定の置き換え画素に置き換えるに際して、追跡パターン判定部４３１で、原稿の画像データに黄色があるか否かで、孤立点を検出し、置き換え画素算出部４３２が当該検出した孤立点領域が所定の置き換え画素との濃度差が所定値を越えていることを算出すると、追跡パターン置き換え部４３３が、当該孤立点領域を当該置き換え画素で置き換える。したがって、孤立点領域の不要な画素の置き換えをなくすことができ、周辺画像との連続性を保って、画像品質の良好な状態で孤立点の画素の置き換えを行うことができる。【選択図】          図５
2005065031.tif 000002
【特許請求の範囲】
【請求項１】
原稿の画像データの孤立点を所定の置き換え画素に置き換える画像処理装置であって、前記原稿の画像データに特定色があるか否かで、孤立点を検出する孤立点検出手段と、当該孤立点検出手段の検出した孤立点領域が所定の置き換え画素との濃度差が所定値を越えていると、当該孤立点領域を当該置き換え画素と置き換える置き換え手段と、を備えていることを特徴とする画像処理装置。
【請求項２】
原稿の画像データの孤立点を所定の置き換え画素に置き換える画像処理装置であって、前記原稿の画像データに特定色があるか否かで、孤立点を検出する孤立点検出手段と、当該孤立点検出手段の検出した孤立点領域と置き換える複数の置き換え画素のうち最大値の置き換え画素が、当該孤立点領域よりも薄いときにのみ、当該孤立点領域を当該置き換え画素と置き換える置き換え手段と、を備えていることを特徴とする画像処理装置。
【請求項３】
原稿の画像データの孤立点を所定の置き換え画素に置き換える画像処理装置であって、前記原稿の画像データに特定色があるか否かで、孤立点を検出する孤立点検出手段と、当該孤立点検出手段の検出した孤立点領域と置き換える複数の置き換え画素のうち、Ｒ、Ｇの画像データ値の近い画像データと置き換える置き換え手段と、を備えていることを特徴とする画像処理装置。
【請求項４】
前記画像処理装置は、前記複数の置き換え画素として、少なくとも１つは隣接する画素を含むことを特徴とする請求項１から請求項３のいずれかに記載の画像処理装置。
【請求項５】
前記置き換え手段は、前記孤立点領域のＲＧＢ画像データのうちＢ画像データのみを置き換え対象データとして置き換えることを特徴とする請求項１から請求項４のいずれかに記載の画像処理装置。
【請求項６】
孤立点検出手段は、前記孤立点として、装置の機番、製造番号、使用者ＩＤ等の情報からなる追跡パターンを検出することを特徴とする請求項１から請求項５のいずれかに記載の画像処理装置。
【請求項７】
前記画像処理装置は、前記画像データの出力モードが２色モードであるときに、前記孤立点領域を前記置き換え画素と置き換えることを特徴とする請求項１から請求項４のいずれかに記載の画像処理装置。
【請求項８】
原稿を走査して当該原稿の画像を色分解して読み取った当該原稿の画像データの孤立点を、画像処理手段で、所定の置き換え画素に置き換える画像読取装置であって、前記画像処理手段として、請求項１から請求項７のいずれかに記載の画像処理装置を搭載していることを特徴とする画像読取装置。
【請求項９】
原稿の画像データの孤立点を、画像処理手段で、所定の置き換え画素に置き換える画像処理を施し、当該画像処理後の画像データに基づいて画像を用紙上に記録出力する画像形成装置であって、前記画像処理手段として、請求項１から請求項７のいずれかに記載の画像処理装置を搭載していることを特徴とする画像形成装置。
【請求項１０】
画像読取手段で、原稿を走査して当該原稿の画像を色分解して読み取った当該原稿の画像データの孤立点を、画像処理手段で、所定の置き換え画素に置き換える画像処理を施し、画像形成手段で、当該画像処理後の画像データに基づいて画像を用紙上に記録出力する複写装置であって、前記画像処理手段として、請求項１から請求項７のいずれかに記載の画像処理装置を搭載していることを特徴とするカラー複写装置。
【請求項１１】
前記複写装置は、外部装置に接続され、当該外部装置からのプリント指示コマンドと画像データを受け取って、請求項１から請求項７のいずれかの画像処理装置である画像処理手段で、前記画像データの孤立点領域を置き換え画素と置き換える画像処理を施し、前記画像形成手段で当該画像処理後の画像データに基づいて画像を用紙上に記録出力することを特徴とする請求項１０記載のカラー複写装置。
【発明の詳細な説明】
【技術分野】
【０００１】
本発明は、画像処理装置、画像読取装置及びカラー複写装置に関し、詳細には、原稿から読み取った画像データに孤立点が含まれるか否かを判定し、出力画質モードに対応して孤立点を置き換え画素で置き換える画像処理を行う画像処理装置、画像読取装置及びカラー複写装置に関する。
【背景技術】
【０００２】
近年、画像処理技術や画像形成技術の向上によって、カラー複写機で複写したコピー紙幣と実際の紙幣とが容易に区別できないほど精巧に画像形成を行うことが可能になってきている。このため、紙幣・有価証券等の複製が禁止されている特殊原稿を判定し、特殊原稿の場合に違法複写を禁止するようにした装置が開発されており、複写機に特殊原稿を判定する機能を搭載した画像形成装置も提案されている。
【０００３】
また、企業等においては、紙幣や有価証券以外の一般文書の場合にも、文書の内容の重要度や機密保持の観点から複写が禁止されている複写禁止原稿が多数存在する。
【０００４】
このような複写禁止原稿には、従来、一般的に、マル秘の印鑑や複写禁止のマーク等が押印されており、複写可能な原稿と区別されている。
【０００５】
また、従来、複写物の出所を追跡するために、人の目で判別し難い色で、複写装置の機番、製造番号、使用者ＩＤ等の情報を複写物に追跡パターンとして付加することが行われている。
【０００６】
すなわち、この方法は、一定の目立たない色（例えば、イエロー）によりある程度のドットの大きさで画像全面に書き込む方式であり、この方法を、例えば、複写機等の画像形成装置に適用して複写物に情報を付加することで、複写物の出所を追跡可能とすることができる。
【０００７】
ところが、一定の目立たない色で、ある程度のドットの大きさで、追跡パターンを画像全面に書き込む方式であるため、画像の出力モードによって画質が劣化するという問題がある。例えば、追跡パターンの書き込まれた原稿を、カラー変換を行って出力すると、元原稿では、目立たない色のドットであっても、ドットが別の色に変換されて、ドットが目立ってしまうという問題があった。
【０００８】
特に、黒以外の色を他の色（例えば、赤色）に変換する２色モードにおいては、目には見えない黄色孤立点（追跡パターン）が、赤になって、画質が悪化する。
【０００９】
そして、従来、元画像データの追跡パターンを削除して、強制的に白ドットに置き換えるカラー画像処理装置が提案されている（特許文献１参照）。
【００１０】
また、従来、元画像データの追跡パターンを削除して、強制的にイエロー等の新たな追跡パターンに置き換える画像複写装置が提案されている（特許文献２参照）。
【００１１】
さらに、本出願人は、先に、追跡パターンを検出して、画像処理を切り換える画像処理装置を提案している（特許文献３参照）。
【００１２】
【特許文献１】特開平５−１３０３７６号公報
【特許文献２】特開平１１−２６６３６６号公報
【特許文献３】特開２００２−３２５１８０号公報
【発明の開示】
【発明が解決しようとする課題】
【００１３】
しかしながら、このような公報記載の従来技術にあっては、適切に追跡パターンを除去して、画像品質を向上させる上で、改良の必要があった。
【００１４】
すなわち、上記特許文献１及び特許文献２記載の従来技術にあっては、白ドットやイエロードットに置き換えているため、薄い色地では白く塗りつぶされたり、または、白地上のドットのみしか変換できないという問題があった。
【００１５】
なお、特許文献３記載の従来技術は、追跡パターンに基づいて、追跡パターンを削除する技術ではなく、画像処理を切り換える技術であり、画像処理の１つとして、追跡パターンの除去を考慮する必要がある。
【００１６】
そこで、請求項１記載の発明は、原稿の画像データの孤立点を所定の置き換え画素に置き換えるに際して、孤立点検出手段で、原稿の画像データに黄色があるか否かで、孤立点を検出し、置き換え手段が、当該検出した孤立点領域が所定の置き換え画素との濃度差が所定値を越えていると、当該孤立点領域を当該置き換え画素と置き換えることにより、孤立点領域の不要な画素の置き換えをなくし、周辺画像との連続性を保って、画像品質の良好な状態で孤立点の画素の置き換えを行う画像処理を施す画像処理装置を提供することを目的としている。
【００１７】
請求項２記載の発明は、原稿の画像データの孤立点を所定の置き換え画素に置き換えるに際して、孤立点検出手段で、原稿の画像データに黄色があるか否かで、孤立点を検出し、置き換え手段が、当該検出した孤立点領域と置き換える複数の置き換え画素のうち最大値の置き換え画素が、当該孤立点領域よりも薄いときにのみ、当該孤立点領域を当該置き換え画素と置き換えることにより、孤立点の誤判定を抑制し、適切で画像品質の良好な状態で孤立点の画素の置き換えを行う画像処理を施す画像処理装置を提供することを目的としている。
【００１８】
請求項３記載の発明は、原稿の画像データの孤立点を所定の置き換え画素に置き換えるに際して、孤立点検出手段で、原稿の画像データに黄色があるか否かで、孤立点を検出し、置き換え手段が、当該検出した孤立点領域と置き換える複数の置き換え画素のうち、Ｒ、Ｇの画像データ値の近い画像データと置き換えることにより、孤立点の誤判定を抑制し、追跡パターンの打たれていない状態の画素に変換する画像処理装置を提供することを目的としている。
【００１９】
請求項４記載の発明は、複数の置き換え画素として、少なくとも１つは隣接する画素を含むことにより、置き換え対象画素を、隣接した画像データを参照して設定して、複写原稿の出力パターンの影響を受けることを防止し、適切で画像品質の良好な状態で孤立点の画素の置き換えを行う画像処理を施す画像処理装置を提供することを目的としている。
【００２０】
請求項５記載の発明は、置き換え手段が、孤立点領域のＲＧＢ画像データのうちＢ画像データのみを置き換え対象データとして置き換えることにより、黄色孤立点がＢ信号に影響することから、置き換え対象画素をＢのみとして、ＲＧ信号が、誤判定時の影響を受けないようにし、孤立点の誤判定を抑制して、適切で画像品質の良好な状態で孤立点の画素の置き換えを行う画像処理を施す画像処理装置を提供することを目的としている。
【００２１】
請求項６記載の発明は、孤立点検出手段が、孤立点として、装置の機番、製造番号、使用者ＩＤ等の情報からなる追跡パターンを検出することにより、追跡パターンを適切にかつ画像品質を良好な状態で置き換え画素で置き換える画像処理装置を提供することを目的としている。
【００２２】
請求項７記載の発明は、画像データの出力モードが２色モードであるときに、孤立点領域を置き換え画素と置き換えることにより、孤立点領域が２色モード時に他の色に変換されてしまうことを防止し、適切で画像品質の良好な状態で孤立点の画素の置き換えを行う画像処理を施す画像処理装置を提供することを目的としている。
【００２３】
請求項８記載の発明は、原稿を走査して当該原稿の画像を色分解して読み取った当該原稿の画像データの孤立点を、画像処理手段で、所定の置き換え画素に置き換えるに際して、画像処理手段として、請求項１から請求項７のいずれかに記載の画像処理装置を搭載することにより、孤立点領域の不要な画素の置き換えを行うことなく、周辺画像との連続性を保ち、画像品質の良好な状態で孤立点の画素の置き換えを行う画像処理を施す画像読取装置を提供することを目的としている。
【００２４】
請求項９記載の発明は、原稿の画像データの孤立点を、画像処理手段で、所定の置き換え画素に置き換える画像処理を施し、当該画像処理後の画像データに基づいて画像を用紙上に記録出力するに際して、画像処理手段として、請求項１から請求項７のいずれかに記載の画像処理装置を搭載することにより、孤立点領域の不要な画素の置き換えを行うことなく、周辺画像との連続性を保ち、画像品質の良好な状態で孤立点の画素の置き換えを行う画像処理を施した画像を記録出力する画像形成装置を提供することを目的としている。
【００２５】
請求項１０記載の発明は、画像読取手段で、原稿を走査して当該原稿の画像を色分解して読み取った当該原稿の画像データの孤立点を、画像処理手段で、所定の置き換え画素に置き換える画像処理を施し、画像形成手段で、当該画像処理後の画像データに基づいて画像を用紙上に記録出力するに際して、画像処理手段として、請求項１から請求項７のいずれかに記載の画像処理装置を搭載することにより、孤立点領域の不要な画素の置き換えを行うことなく、周辺画像との連続性を保ち、画像品質の良好な状態で孤立点の画素の置き換えを行う画像処理を施した画像を記録出力する複写装置を提供することを目的としている。
【００２６】
請求項１１記載の発明は、複写装置を、外部装置に接続され、当該外部装置からのプリント指示コマンドと画像データを受け取って、請求項１から請求項７のいずれかの画像処理装置である画像処理手段で、画像データの孤立点領域を置き換え画素と置き換える画像処理を施し、画像形成手段で当該画像処理後の画像データに基づいて画像を用紙上に記録出力するものとすることにより、外部装置から入力される画像データに対しても、孤立点領域の不要な画素の置き換えを行うことなく、周辺画像との連続性を保ち、画像品質の良好な状態で孤立点の画素の置き換えを行う画像処理を施した画像を記録出力する複写装置を提供することを目的としている。
【課題を解決するための手段】
【００２７】
請求項１記載の発明の画像処理装置は、原稿の画像データの孤立点を所定の置き換え画素に置き換える画像処理装置であって、前記原稿の画像データに特定色があるか否かで、孤立点を検出する孤立点検出手段と、当該孤立点検出手段の検出した孤立点領域が所定の置き換え画素との濃度差が所定値を越えていると、当該孤立点領域を当該置き換え画素と置き換える置き換え手段と、を備えていることにより、上記目的を達成している。
【００２８】
上記構成によれば、原稿の画像データの孤立点を所定の置き換え画素に置き換えるに際して、孤立点検出手段で、原稿の画像データに黄色があるか否かで、孤立点を検出し、置き換え手段が、当該検出した孤立点領域が所定の置き換え画素との濃度差が所定値を越えていると、当該孤立点領域を当該置き換え画素と置き換えるので、孤立点領域の不要な画素の置き換えをなくすことができ、周辺画像との連続性を保って、画像品質の良好な状態で孤立点の画素の置き換えを行う画像処理を施すことができる。
【００２９】
請求項２記載の発明の画像処理装置は、原稿の画像データの孤立点を所定の置き換え画素に置き換える画像処理装置であって、前記原稿の画像データに特定色があるか否かで、孤立点を検出する孤立点検出手段と、当該孤立点検出手段の検出した孤立点領域と置き換える複数の置き換え画素のうち最大値の置き換え画素が、当該孤立点領域よりも薄いときにのみ、当該孤立点領域を当該置き換え画素と置き換える置き換え手段と、を備えていることにより、上記目的を達成している。
【００３０】
上記構成によれば、原稿の画像データの孤立点を所定の置き換え画素に置き換えるに際して、孤立点検出手段で、原稿の画像データに黄色があるか否かで、孤立点を検出し、置き換え手段が、当該検出した孤立点領域と置き換える複数の置き換え画素のうち最大値の置き換え画素が、当該孤立点領域よりも薄いときにのみ、当該孤立点領域を当該置き換え画素と置き換えるので、孤立点の誤判定を抑制することができ、適切で画像品質の良好な状態で孤立点の画素の置き換えを行う画像処理を施すことができる。
【００３１】
請求項３記載の発明の画像処理装置は、原稿の画像データの孤立点を所定の置き換え画素に置き換える画像処理装置であって、前記原稿の画像データに特定色があるか否かで、孤立点を検出する孤立点検出手段と、当該孤立点検出手段の検出した孤立点領域と置き換える複数の置き換え画素のうち、Ｒ、Ｇの画像データ値の近い画像データと置き換える置き換え手段と、を備えていることにより、上記目的を達成している。
【００３２】
上記構成によれば、原稿の画像データの孤立点を所定の置き換え画素に置き換えるに際して、孤立点検出手段で、原稿の画像データに黄色があるか否かで、孤立点を検出し、置き換え手段が、当該検出した孤立点領域と置き換える複数の置き換え画素のうち、Ｒ、Ｇの画像データ値の近い画像データと置き換えるので、孤立点の誤判定を抑制することができ、追跡パターンの打たれていない状態の画素に変換することができる。
【００３３】
上記各場合において、例えば、請求項４に記載するように、前記画像処理装置は、前記複数の置き換え画素として、少なくとも１つは隣接する画素を含むものであってもよい。
【００３４】
上記構成によれば、複数の置き換え画素として、少なくとも１つは隣接する画素を含むので、置き換え対象画素を、隣接した画像データを参照して設定して、複写原稿の出力パターンの影響を受けることを防止することができ、適切で画像品質の良好な状態で孤立点の画素の置き換えを行う画像処理を施すことができる。
【００３５】
また、例えば、請求項５に記載するように、前記置き換え手段は、前記孤立点領域のＲＧＢ画像データのうちＢ画像データのみを置き換え対象データとして置き換えるものであってもよい。
【００３６】
上記構成によれば、置き換え手段が、孤立点領域のＲＧＢ画像データのうちＢ画像データのみを置き換え対象データとして置き換えるので、黄色孤立点がＢ信号に影響することから、置き換え対象画素をＢのみとして、ＲＧ信号が、誤判定時の影響を受けないようにすることができ、孤立点の誤判定を抑制して、適切で画像品質の良好な状態で孤立点の画素の置き換えを行う画像処理を施すことができる。
【００３７】
さらに、例えば、請求項６に記載するように、孤立点検出手段は、前記孤立点として、装置の機番、製造番号、使用者ＩＤ等の情報からなる追跡パターンを検出するものであってもよい。
【００３８】
上記構成によれば、孤立点検出手段が、孤立点として、装置の機番、製造番号、使用者ＩＤ等の情報からなる追跡パターンを検出するので、追跡パターンを適切にかつ画像品質を良好な状態で置き換え画素で置き換えることができる。
【００３９】
また、例えば、請求項７に記載するように、前記画像処理装置は、前記画像データの出力モードが２色モードであるときに、前記孤立点領域を前記置き換え画素と置き換えるものであってもよい。
【００４０】
上記構成によれば、画像データの出力モードが２色モードであるときに、孤立点領域を置き換え画素と置き換えるので、孤立点領域が２色モード時に他の色に変換されてしまうことを防止することができ、適切で画像品質の良好な状態で孤立点の画素の置き換えを行う画像処理を施すことができる。
【００４１】
請求項８記載の発明の画像読取装置は、原稿を走査して当該原稿の画像を色分解して読み取った当該原稿の画像データの孤立点を、画像処理手段で、所定の置き換え画素に置き換える画像読取装置であって、前記画像処理手段として、請求項１から請求項７のいずれかに記載の画像処理装置を搭載していることにより、上記目的を達成している。
【００４２】
上記構成によれば、原稿を走査して当該原稿の画像を色分解して読み取った当該原稿の画像データの孤立点を、画像処理手段で、所定の置き換え画素に置き換えるに際して、画像処理手段として、請求項１から請求項７のいずれかに記載の画像処理装置を搭載するので、孤立点領域の不要な画素の置き換えを行うことなく、周辺画像との連続性を保つことができ、画像品質の良好な状態で孤立点の画素の置き換えを行う画像処理を施すことができる。
【００４３】
請求項９記載記載の発明の画像形成装置は、原稿の画像データの孤立点を、画像処理手段で、所定の置き換え画素に置き換える画像処理を施し、当該画像処理後の画像データに基づいて画像を用紙上に記録出力する画像形成装置であって、前記画像処理手段として、請求項１から請求項７のいずれかに記載の画像処理装置を搭載していることにより、上記目的を達成している。
【００４４】
上記構成によれば、原稿の画像データの孤立点を、画像処理手段で、所定の置き換え画素に置き換える画像処理を施し、当該画像処理後の画像データに基づいて画像を用紙上に記録出力するに際して、画像処理手段として、請求項１から請求項７のいずれかに記載の画像処理装置を搭載するので、孤立点領域の不要な画素の置き換えを行うことなく、周辺画像との連続性を保つことができ、画像品質の良好な状態で孤立点の画素の置き換えを行う画像処理を施した画像を記録出力することができる。
【００４５】
請求項１０記載の発明のカラー複写装置は、画像読取手段で、原稿を走査して当該原稿の画像を色分解して読み取った当該原稿の画像データの孤立点を、画像処理手段で、所定の置き換え画素に置き換える画像処理を施し、画像形成手段で、当該画像処理後の画像データに基づいて画像を用紙上に記録出力する複写装置であって、前記画像処理手段として、請求項１から請求項７のいずれかに記載の画像処理装置を搭載していることにより、上記目的を達成している。
【００４６】
上記構成によれば、画像読取手段で、原稿を走査して当該原稿の画像を色分解して読み取った当該原稿の画像データの孤立点を、画像処理手段で、所定の置き換え画素に置き換える画像処理を施し、画像形成手段で、当該画像処理後の画像データに基づいて画像を用紙上に記録出力するに際して、画像処理手段として、請求項１から請求項７のいずれかに記載の画像処理装置を搭載するので、孤立点領域の不要な画素の置き換えを行うことなく、周辺画像との連続性を保つことができ、画像品質の良好な状態で孤立点の画素の置き換えを行う画像処理を施した画像を記録出力することができる。
【００４７】
この場合、例えば、請求項１１に記載するように、前記複写装置は、外部装置に接続され、当該外部装置からのプリント指示コマンドと画像データを受け取って、請求項１から請求項７のいずれかの画像処理装置である画像処理手段で、前記画像データの孤立点領域を置き換え画素と置き換える画像処理を施し、前記画像形成手段で当該画像処理後の画像データに基づいて画像を用紙上に記録出力するものであってもよい。
【００４８】
上記構成によれば、複写装置を、外部装置に接続され、当該外部装置からのプリント指示コマンドと画像データを受け取って、請求項１から請求項７のいずれかの画像処理装置である画像処理手段で、画像データの孤立点領域を置き換え画素と置き換える画像処理を施し、画像形成手段で当該画像処理後の画像データに基づいて画像を用紙上に記録出力するものとしているので、外部装置から入力される画像データに対しても、孤立点領域の不要な画素の置き換えを行うことなく、周辺画像との連続性を保つことができ、画像品質の良好な状態で孤立点の画素の置き換えを行う画像処理を施した画像を記録出力することができる。
【発明の効果】
【００４９】
請求項１記載の発明の画像処理装置によれば、原稿の画像データの孤立点を所定の置き換え画素に置き換えるに際して、孤立点検出手段で、原稿の画像データに黄色があるか否かで、孤立点を検出し、置き換え手段が、当該検出した孤立点領域が所定の置き換え画素との濃度差が所定値を越えていると、当該孤立点領域を当該置き換え画素と置き換えるので、孤立点領域の不要な画素の置き換えをなくすことができ、周辺画像との連続性を保って、画像品質の良好な状態で孤立点の画素の置き換えを行う画像処理を施すことができる。
【００５０】
請求項２記載の発明の画像処理装置によれば、原稿の画像データの孤立点を所定の置き換え画素に置き換えるに際して、孤立点検出手段で、原稿の画像データに黄色があるか否かで、孤立点を検出し、置き換え手段が、当該検出した孤立点領域と置き換える複数の置き換え画素のうち最大値の置き換え画素が、当該孤立点領域よりも薄いときにのみ、当該孤立点領域を当該置き換え画素と置き換えるので、孤立点の誤判定を抑制することができ、適切で画像品質の良好な状態で孤立点の画素の置き換えを行う画像処理を施すことができる。
【００５１】
請求項３記載の発明の画像処理装置によれば、原稿の画像データの孤立点を所定の置き換え画素に置き換えるに際して、孤立点検出手段で、原稿の画像データに黄色があるか否かで、孤立点を検出し、置き換え手段が、当該検出した孤立点領域と置き換える複数の置き換え画素のうち、Ｒ、Ｇの画像データ値の近い画像データと置き換えるので、孤立点の誤判定を抑制することができ、追跡パターンの打たれていない状態の画素に変換することができる。
【００５２】
請求項４記載の発明の画像処理装置によれば、複数の置き換え画素として、少なくとも１つは隣接する画素を含むので、置き換え対象画素を、隣接した画像データを参照して設定して、複写原稿の出力パターンの影響を受けることを防止することができ、適切で画像品質の良好な状態で孤立点の画素の置き換えを行う画像処理を施すことができる。
【００５３】
請求項５記載の発明の画像処理装置によれば、置き換え手段が、孤立点領域のＲＧＢ画像データのうちＢ画像データのみを置き換え対象データとして置き換えるので、黄色孤立点がＢ信号に影響することから、置き換え対象画素をＢのみとして、ＲＧ信号が、誤判定時の影響を受けないようにすることができ、孤立点の誤判定を抑制して、適切で画像品質の良好な状態で孤立点の画素の置き換えを行う画像処理を施すことができる。
【００５４】
請求項６記載の発明の画像処理装置によれば、孤立点検出手段が、孤立点として、装置の機番、製造番号、使用者ＩＤ等の情報からなる追跡パターンを検出するので、追跡パターンを適切にかつ画像品質を良好な状態で置き換え画素で置き換えることができる。
【００５５】
請求項７記載の発明の画像処理装置によれば、画像データの出力モードが２色モードであるときに、孤立点領域を置き換え画素と置き換えるので、孤立点領域が２色モード時に他の色に変換されてしまうことを防止することができ、適切で画像品質の良好な状態で孤立点の画素の置き換えを行う画像処理を施すことができる。
【００５６】
請求項８記載の発明の画像読取装置によれば、原稿を走査して当該原稿の画像を色分解して読み取った当該原稿の画像データの孤立点を、画像処理手段で、所定の置き換え画素に置き換えるに際して、画像処理手段として、請求項１から請求項７のいずれかに記載の画像処理装置を搭載するので、孤立点領域の不要な画素の置き換えを行うことなく、周辺画像との連続性を保つことができ、画像品質の良好な状態で孤立点の画素の置き換えを行う画像処理を施すことができる。
【００５７】
請求項９記載記載の発明の画像形成装置によれば、原稿の画像データの孤立点を、画像処理手段で、所定の置き換え画素に置き換える画像処理を施し、当該画像処理後の画像データに基づいて画像を用紙上に記録出力するに際して、画像処理手段として、請求項１から請求項７のいずれかに記載の画像処理装置を搭載するので、孤立点領域の不要な画素の置き換えを行うことなく、周辺画像との連続性を保つことができ、画像品質の良好な状態で孤立点の画素の置き換えを行う画像処理を施した画像を記録出力することができる。
【００５８】
請求項１０記載の発明のカラー複写装置によれば、画像読取手段で、原稿を走査して当該原稿の画像を色分解して読み取った当該原稿の画像データの孤立点を、画像処理手段で、所定の置き換え画素に置き換える画像処理を施し、画像形成手段で、当該画像処理後の画像データに基づいて画像を用紙上に記録出力するに際して、画像処理手段として、請求項１から請求項７のいずれかに記載の画像処理装置を搭載するので、孤立点領域の不要な画素の置き換えを行うことなく、周辺画像との連続性を保つことができ、画像品質の良好な状態で孤立点の画素の置き換えを行う画像処理を施した画像を記録出力することができる。
【００５９】
請求項１１記載の発明のカラー複写装置によれば、複写装置を、外部装置に接続され、当該外部装置からのプリント指示コマンドと画像データを受け取って、請求項１から請求項７のいずれかの画像処理装置である画像処理手段で、画像データの孤立点領域を置き換え画素と置き換える画像処理を施し、画像形成手段で当該画像処理後の画像データに基づいて画像を用紙上に記録出力するものとしているので、外部装置から入力される画像データに対しても、孤立点領域の不要な画素の置き換えを行うことなく、周辺画像との連続性を保つことができ、画像品質の良好な状態で孤立点の画素の置き換えを行う画像処理を施した画像を記録出力することができる。
【発明を実施するための最良の形態】
【００６０】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００６１】
図１〜図９は、本発明の画像処理装置、画像読取装置及びカラー複写装置の一実施例を示す図であり、図１は、本発明の画像処理装置、画像読取装置及びカラー複写装置の一実施例を適用したデジタルフルカラー複写装置１のブロック構成図である。
【００６２】
図１において、デジタルフルカラー複写装置１は、スキャナ１００、カラープリンタ２００及び給紙部３００等を備えている。
【００６３】
スキャナ（画像読取手段）１００は、コンタクトガラス１０１上にセットされた原稿Ｇを圧板１０２で押さえつけ、コンタクトガラス１０１の下部に配設されている第１走行体１０３上の光源である照明ランプ１０４から原稿Ｇに光を照射して、当該原稿Ｇで反射された反射光を第１走行体１０３上のミラー１０５で第２走行体１０６上のミラー１０７、１０８で順次反射して、レンズ１０９を通して３ラインＣＣＤ（Charge Coupled Device ）センサ１１０に入射する。３ラインＣＣＤセンサ１１０は、入射光を光電変換して、原稿Ｇの画像を読み取る。このとき、スキャナ１００は、第１走行体１０３と第２走行体１０６が、上述のようにして原稿を主走査しつつ副走査方向に移動して、原稿Ｇを主走査及び副走査して、原稿Ｇの画像を読み取り、３ラインＣＣＤセンサ１１０は、Ｂ、Ｇ、Ｒの画像を色毎に色分解して読み取る。
【００６４】
デジタルフルカラー複写装置１は、スキャナ１００で読み取ったＢ、Ｇ、Ｒの色分解画像信号強度レベルをもとに、図示しない画像処理ユニットで色変換処理を行って、Ｂｋ（ブラック）、Ｃ（シアン）、Ｍ（マゼンタ）及びＹ（イエロー）の記録色情報を含むカラー画像データに変換する。
【００６５】
デジタルフルカラー複写装置１は、このカラー画像データに基づいて、カラープリンタ（画像形成手段）２００でＢｋ、Ｃ、Ｍ、Ｙの画像を中間転写ベルト上に重ねて形成し、転写紙に転写する。スキャナ１００は、カラープリンタ２００の動作とタイミングを取ったトナースタート信号を受けて、第１走行体１０３と第２走行体１０６を矢印で示す右方向に移動させて原稿Ｇの画像を走査し、１回の走査毎に１色の画像データを取得して、その都度、カラープリンタ２００に送って、カラープリンタ２００で順次顕像化しつつ、中間転写ベルト上に重ね合わせて、４色のフルカラー画像を形成する。
【００６６】
カラープリンタ２００は、光書込ユニット２０１が、スキャナ１００からのカラー画像データを光信号に変換して、原稿画像に対応した光書き込みを行って、感光体ドラム２０２に静電潜像を形成する。
【００６７】
この光書込ユニット２０１は、レーザ発光器２０３、レーザ発光器２０３を駆動する図示しない発光駆動制御部、ポリゴンミラー２０４、ポリゴンミラー２０４を回転駆動する回転用モータ２０５、ｆθレンズ２０６、反射ミラー２０７等で構成されている。光書込ユニット２０１は、発光駆動制御部がカラー画像データに基づいてレーザ発光器２０３の点灯を制御して、変調したレーザをポリゴンミラー２０４へ出射する。ポリゴンミラー２０４は、回転用モータ２０５により回転駆動されて、入射されるレーザを、ｆθレンズ２０６及び反射ミラー２０７等を介して感光体ドラム２０２上に走査し、感光体ドラム２０２上に静電潜像を形成する。
【００６８】
感光体ドラム２０２は、矢印で示すように、反時計方向に回転駆動され、その周囲に、感光体クリーニングユニット２１１、除電ランプ２１２、帯電器２１３、感光体ドラム２０２上の潜像電位を検知する電位センサ２１４、リボルバー現像装置２１５、リボルバー現像装置２１５の選択された現像器、現像濃度パターン検知器２１６及び中間転写ベルト２１７等が配設されている。
【００６９】
リボルバー現像装置２１５は、Ｂｋ現像器２１５Ｋ、Ｃ現像器２１５Ｃ、Ｍ現像器２１５Ｍと、各現像器２１５Ｋ〜２１５Ｍを矢印で示すように反時計回りに回転させる図示しないリボルバー回転駆動部等からなる。各現像器２１５Ｋ〜２１５Ｍは、静電潜像を顕像化するために、現像剤の穂を感光体ドラム２０２の表面に接触させて回転する現像スリーブ２１５ＫＳ、２１５ＣＳ、２１５ＭＳ、２１５ＹＳと、現像剤を組み上げ・撹拌するために回転する現像パドル等で構成されている。リボルバー現像装置２１５は、待機状態では、Ｂｋ現像器２１５Ｋで現像を行う位置にセットされており、コピー動作が開始されると、スキャナ１００で所定のタイミングからＢｋ画像データの読み取りがスタートし、このＢｋ画像データに基づいて、レーザ光による感光体ドラム２０２への光書き込み及び当該光書き込みによる潜像の形成が始まる。以下、このＢｋ画像データによる静電潜像をＢｋ潜像という。Ｃ、Ｍ、Ｙの各画像データについても同様に光り書き込みと潜像の形成を行い、同じ。このＢｋ潜像の先端部から現像可能とするために、Ｂｋ現像器２１５Ｋの現像位置に潜像先端部が到達する前に、現像スリーブ２１５ＫＳの回転を開始して、Ｂｋ潜像をＢｋトナーで現像する。そして、以後、Ｂｋ潜像領域の現像動作を続けるが、潜像後端部がＢｋ潜像位置を通過した時点で、速やかに、Ｂｋ現像器２１５Ｋによる現像位置から次の色の現像器による現像位置まで、リボルバー現像装置２１５を駆動して回動させる。リボルバー現像装置２１５は、この回動動作を、少なくとも、次の画像データによる潜像先端部が到達する前に完了させる。
【００７０】
そして、カラープリンタ２００は、画像形成サイクルを開始すると、感光体ドラム２０２を、図１に矢印で示すように、反時計方向に回転させ、中間転写ベルト２１７を、図示しない駆動モータにより、時計方向に回転させる。カラープリンタ２００は、中間転写ベルト２１７の回動に伴って、Ｂｋトナー像の形成、Ｃトナー像の形成、Ｍトナー像の形成及びＹトナー像の形成を順次行い、最終的に、Ｂｋ、Ｃ、Ｍ、Ｙの順に中間転写ベルト２１７上に重ねてカラートナー像を形成する。カラープリンタ２００は、まず、Ｂｋ像の形成は、以下のように行う。すなわち、帯電器２１３がコロナ放電によって、感光体ドラム２０２を負電荷で約−７００Ｖに一様に帯電し、続いて、レーザ発光器２０３が、Ｂｋ信号に基づいてラスタ露光を行う。このようにラスタ像が露光されたとき、当初、一様に荷電された感光体ドラム２０２の露光された部分については、露光光量に比例する電荷が消失し、静電潜像が形成される。
【００７１】
リボルバー現像装置２１５内のトナーは、フェライトキャリアとの撹拌によって負極性に帯電され、また、リボルバー現像装置２１５のＢｋ現像スリーブ２１５ＫＳは、感光体ドラム２０２の金属基体層に対して図示しない電源回路によって、負の直流電位と交流とが重畳された電位にバイアスされている。したがって、感光体ドラム２０２の電荷が残っている部分には、トナーが付着せず、電荷のない部分、すなわち、露光された部分には、Ｂｋトナーが吸着されて、潜像と相似のＢｋ可視像が形成される。
【００７２】
中間転写ベルト２１７は、駆動ローラ２１８、転写対向ローラ２１９、クリーニング対向ローラ２２０及び従動ローラ群に張り渡されており、図示しない駆動モータにより回動駆動される。
【００７３】
そして、カラープリンタ２００は、感光体ドラム２０２上に形成されたＢｋトナー像を、感光体ドラム２０２と接触状態で等速駆動している中間転写ベルト２１７の表面に、ベルト転写コロナ放電器（以下、ベルト転写部という。）２２１によって転写する。以下、感光体ドラム２０２から中間転写ベルト２１７へのトナー像転写を、ベルト転写という。
【００７４】
カラープリンタ２００は、感光体ドラム２０２上の若干の未転写残留トナーを、感光体ドラム２０２の再使用に備えて、感光体クリーニングユニット２１１で清掃し、このとき回収されたトナーを、図示しない回収パイプを経由して図示しない排トナータンクに蓄える。
【００７５】
カラープリンタ２００は、感光体ドラム２０２に順次形成するＢｋ、Ｃ、Ｍ、Ｙのトナー像を、中間転写ベルト２１７上の同一面に順次、位置合わせして転写して、４色重ねのベルト転写画像を形成し、その後、転写紙に紙転写コロナ放電器２２２で一括転写を行う。
【００７６】
そして、感光体ドラム２０２側では、Ｂｋ画像の形成工程の次に、Ｃ画像の形成工程に進むが、所定のタイミングから、スキャナ１００によるＣ画像データの読み取りを開始し、そのＣ画像データによるレーザ光書き込みで、感光体ドラム２０２へのＣ潜像の形成を行う。Ｃ現像器２１５Ｃは、その現像位置に対して、先のＢｋ潜像後端部が通過した後で、かつ、Ｃ潜像先端が到達する前に、リボルバー現像装置２１５の回転動作を行い、Ｃ潜像をＣトナーで現像する。以降、Ｃ潜像領域の現像を続け、潜像後端部が通過した時点で、先のＢｋ現像器２１５Ｋの場合と同様にリボルバー現像装置２１５を駆動して、Ｃ現像器２１５Ｃを送り出し、次のＭ現像器２１５Ｍを現像位置に位置させる。この動作もやはり、次のＭ潜像先端部が現像位置に到達する前に行う。なお、ＭおよびＹの各像の形成工程については、それぞれの画像データの読み取り、潜像形成、現像の動作が、上記Ｂｋ像やＣ像の工程と同様であり、詳細な説明を省略する。
【００７７】
ベルトクリーニング装置２２３は、入口シール、ゴムブレード、排出コイル及び入口シールやゴムブレードの接離機構等を備え、中間転写ベルト２１７のクリーニングを行う。ベルトクリーニング装置２２３は、１色目のＢｋ画像をベルト転写した後の、２、３、４色目の画像をベルト転写している間は、ブレード接離機構によって、中間転写ベルト面から入口シール、ゴムブレード等を離間させておく。
【００７８】
紙転写コロナ放電器（以下、紙転写器という。）２２２は、コロナ放電方式で、ＡＣ＋ＤＣまたはＤＣ成分を転写紙および中間転写ベルトに印加し、中間転写ベルト２１７上の重ね合わされたフルカラートナー像を転写紙に転写させる。
【００７９】
給紙部３００は、内部に複数の転写紙カセット３０１が収納されており、各転写紙カセット３０１には、各種サイズの転写紙が収納されている。給紙部３００は、指定されたサイズの用紙を収納しているカセット３０１から、給紙コロ３０２によってカラープリンタ２００のレジストローラ対２２４方向に給紙・搬送する。
【００８０】
なお、デジタルフルカラー複写装置１は、カラープリンタ２００の側面に、ＯＨＰ用紙や厚紙等を手差しするための手差し給紙トレイ３１０が設けられている。
【００８１】
デジタルフルカラー複写装置１は、画像形成を開始する時期に、転写紙をいずれかの給紙トレイ３０１、３１０から給送し、レジストローラ対２２４のニップ部に待機させる。そして、デジタルフルカラー複写装置１は、紙転写器２２２に中間転写ベルト２１７上のトナー像の先端がさしかかるときに、丁度、転写紙先端がこの像の先端に一致するようにレジストローラ対２２４を駆動し、紙と像との位置合わせを行い、転写紙が中間転写ベルト２１７上の色重ね像と重ねられて、正電位に接続された紙転写器２２２の上を通過する。このとき、コロナ放電電流によって転写紙が正電荷で荷電され、トナー画像の殆どが転写紙上に転写される。デジタルフルカラー複写装置１は、続いて、紙転写器２２２の左側に配置した図示しない除電ブラシによる分離除電器を通過するときに、転写紙を除電し、中間転写ベルト２１７から転写紙を剥離させて紙搬送ベルト２２５に移動させる。デジタルフルカラー複写装置１は、中間転写ベルト２１７の表面から４色重ねトナー像を一括転写させた転写紙を、紙搬送ベルト２２５で定着器２２６に搬送し、所定温度にコントロールされた定着ローラ２２６Ａと加圧ローラ２２６Ｂのニップ部でトナー像を溶融定着させ、排出ロール対２２７で本体外に送り出して、図示しないコピートレイ上に表向きにスタックさせる。
【００８２】
なお、デジタルフルカラー複写装置１は、中間転写ベルト２１７へのベルト転写後の感光体ドラム２０２を、ブラシローラ、ゴムブレード等からなる感光体クリーニングユニット２１１で表面をクリーニングし、また、除電ランプ２１２で均一に除電する。また、デジタルフルカラー複写装置１は、転写紙にトナー像を転写した後の中間転写ベルト２１７を、再び、ベルトクリーニング装置２２３のブレード接離機構でブレードを押圧してクリーニングする。デジタルフルカラー複写装置１は、リピートコピーの場合には、スキャナ１００の動作及び感光体ドラム２０２への画像形成を、１枚目の４色目画像工程に引き続き、所定のタイミングで２枚目の１色目画像工程に進み、中間転写ベルト２１７の方を、１枚目の４色重ね画像の転写紙への一括転写工程に引き続き、表面をベルトクリーニング装置２２３でクリーニングされた領域に、２枚目のＢｋトナー像をベルト転写させるようにする。その後は、１枚目と同様の動作を行う。
【００８３】
そして、デジタルフルカラー複写装置１は、パーソナルコンピュータ等のホスト（外部装置）からＬＡＮ（Local Area Network）またはパラレルＩ／Ｆを通じてプリント指示コマンドとともにプリントデータ（画像データ）が与えられると、プリントデータをカラープリンタ２００でプリントアウト（画像出力）し、かつ、スキャナ１００で読み取った原稿Ｇの画像データを遠隔のフアクシミリ装置に送信し、受信する画像データもプリントアウトできる複合機能を備えたデジタルフルカラー複写装置である。このデジタルフルカラー複写装置１は、図示しない構内交換器ＰＢＸを介して公衆電話網に接続され、公衆電話網を介して、ファクシミリ交信やサービスセンタの管理サーバと交信することができる。
【００８４】
デジタルフルカラー複写装置１は、その回路構成が、図２に示すようにブロック構成されており、メインコントローラ１０００、ＩＣカード１００１、スキャナコントローラ１００２、エンジンコントローラ１００３、ソータコントローラ１００４、エディタ１００５、プリンタコントローラ１００６、ＦＡＸコントローラ１００７、パラレルＩ／Ｆコントロール１００８、ＬＡＮコントロール１００９、通信コントロール１０１０、操作／表示部１０２０及びＩＰＵ（Image Processing Unit：画像処理ユニット）４００等を備えている。
【００８５】
メインコントローラ１０００は、デジタルフルカラー複写装置１の全体を制御し、拡張機能等の登録されているＩＣカード１００１が接続されて、当該ＩＣカード１００１内のプログラム等に応じた機能の拡張を行う。なお、メインコントローラ１０００内には、紙搬送等に必要なメインモータ、各種クラッチの接続されるドライバを搭載されている。
【００８６】
操作／表示部１０２０は、オペレータに対する表示と、オペレータからの機能設定入力制御と、を行う。
【００８７】
スキャナコントローラ１００２には、スキャナ１００及びオプションのＡＤＦ（Auto Document Feeder）１２０が接続され、ＡＤＦ１２０には、搬送モータ１２１や原稿セット検知センサ１２２等が設けられている。スキャナコントローラ１００２は、スキャナ１００及びＡＤＦ１２０の制御、原稿画像を画像メモリに書き込む制御及び画像メモリからの作像を行う制御等を行う。
【００８８】
エンジンコントローラ１００３は、カラープリンタ２００内に設けられ、荷電、露光、現像、給紙、転写、定着及び転写紙搬送等の作像エンジンの制御を行う。
【００８９】
ソータコントローラ１００４には、オプションであって、複数部を印刷する際に部毎に分類（ソート）して載置するソータ５００が接続され、ソータコントローラ１００４は、このソータ５００の動作を制御する。
【００９０】
プリンタコントローラ１００６は、パラレルＩ／Ｆコントロール１００８及びＬＡＮコントロール１００９を介してパソコン等の外部装置からの画像及びプリント指示するコマンドを受信して解析し、画像データとして印刷できる状態にビットマップ展開して、メインコントローラ１０００を介して、カラープリンタ２００を駆動して、画像データをプリントアウトする。
【００９１】
なお、カラープリンタ２００には、給紙トレイ３０１からの給紙をはじめとして、感光体ドラム２０２の荷電、光書込ユニット２０１による画像露光、現像、転写、定着及び排紙を行なう機構要素を駆動する電気回路、制御回路及び各種センサ等が設けられている。
【００９２】
ＦＡＸコントローラ１００７は、フアクシミリ送信指示があると、メインコントローラ１０００を介してスキャナ１００及びＩＰＵ４００を駆動して原稿の画像を読んで、画像データを、通信コントロール１０１０及び構内交換器ＰＢＸを介して、ファクシミリ通信回線に送出し、また、通信回線からのファクシミリの呼び出しを受けて、画像データを受信すると、メインコントローラ１０００を介して、カラープリンタ２００を駆動して画像データをプリントアウトする。
【００９３】
ＩＰＵ（画像処理装置）４００は、図３に示すように回路ブロック構成されており、原稿認識部４０１、ＲＧＢγ補正部４０２、ＲＧＢフィルタ４０３、色補正部４０４、変倍部４０５、Ｉ／Ｆ（インターフェイス）４０６、ＵＣＲ回路４０７、ＣＭＹＢｋフィルタ（図３では、ＣＭＹＢフィルタと表示）４０８、ＣＭＹＢｋγ補正部（図３では、ＣＭＹＢγ補正部と表示）４０９、階調処理部４１０、ビデオコントロール４１１、ＲＡＭ（Random Access Memory）４１２、ＣＰＵ（Central Processing Unit ）４１３、ＲＯＭ（Read Only Memory）４１４及びＩ／Ｆ４１５、４１６等を備えている。
【００９４】
原稿認識部４０１には、スキャナ１００の発生するＲ、Ｇ、Ｂの画像データがＩ／Ｆ（インターフェイス）１０１１を介して入力する。
【００９５】
ＩＰＵ４００は、原稿認識部４０１に入力されたＲ、Ｇ、Ｂ画像データを、次段のＲＧＢγ補正部４０２で、反射率データ（Ｒ、Ｇ、Ｂデータ）から濃度データ（Ｒ、Ｇ、Ｂデータ）に変換する。
【００９６】
原稿認識部４０１は、この濃度Ｒ、Ｇ、Ｂデータに基づいて、それらのデータの画像領域が、文字エッヂ領域（文字や線画のエッジ領域）、網点領域、低線数網点領域か絵柄領域（写真や絵の領域かつ文字領域でない領域かつ網点領域でないかつ網点領域でない）かを判定し、Ｃ／Ｐ信号及びＢ／Ｃ信号を、ＲＧＢフィルタ４０３及びＩ／Ｆ４１５を介してメインコントローラ１０００に出力する。
【００９７】
なお、Ｃ／Ｐ信号は、２ビット信号であり、「３」が低線数網点領域を示し、「２」が網点領域を示し、「１」が文字エッジ領域を示し、「０」が絵柄領域を示している。また、Ｂ／Ｃ信号は、１ビット信号であり、Ｈ（「１」）が無彩領域を示し、Ｌ（「０」）が有彩領域を示している。
【００９８】
原稿認識部４０１の発生するＣ／Ｐ信号およびＢ／Ｃ信号は、ＲＧＢフィルタ４０３、色補正部４０４、変倍部４０５、Ｉ／Ｆ４０６、ＵＣＲ回路４０７、ＣＭＹＢｋフィルタ４０８、ＣＭＹＢｋγ補正４０９及び階調処理部４１０に、画像データに同期してカスケードに与えられる。
【００９９】
ＲＧＢフィルタ４０３は、ＲＧＢデータをＭＴＦ補正するフィルタであり、Ｎ×Ｎの画素マトリックスに対応する係数マトリクスと、各係数に各画像データを乗じて重み付け平均値を得るロジックで構成されている。ＲＧＢフィルタ４０３は、Ｃ／Ｐ信号が「１」を表すもの（文字エッジ領域）であるときには、鮮鋭化処理用の係数マトリクスを用い、「０」または「２」、「３」を表すもの（絵柄領域、低線数網点領域、網点領域）であるときには、平滑化処理用の係数マトリクスを用いて、重み付け平均値を導出し、色補正部４０４に出力する。ここでの平滑化フィルタは、平滑化量の強い順に並べると、低線数網点領域、網点領域、絵柄領域となる。これは、網点は平滑を強くしないと網点構造が残り、モアレの原因となるためであり、さらに、低線数の網点は、高線数の網点より強く平滑化する必要がある。
【０１００】
色補正部４０４は、Ｒ、Ｇ、Ｂデータを一次のマスキング処理等でＣ、Ｍ、Ｙデータに変換するとともに、同時に、ＲＧＢの共通部から、Ｂｋデータを生成する。
【０１０１】
変倍部４０５は、画像データに、主走査方向ｘの拡大／縮小または等倍処理を施す。
【０１０２】
ＵＣＲ回路４０７は、画像データの色再現を向上させるためのものであり、色補正部４０４から入力したＣ、Ｍ、Ｙデータの共通部分をＵＣＲ（下色除去）処理してＢｋデータを生成して、Ｃ、Ｍ、Ｙ、Ｂｋデータを出力する。ＵＣＲ回路４０７は、Ｃ／Ｐ信号が「１」（文字エッジ領域）以外のとき、すなわち、文字なか領域または絵柄領域のときには、スケルトンブラック処理を行い、Ｃ／Ｐ信号が「３」（文字エッジ領域）の時ときには、フルブラック処理を行う。さらに、ＵＣＲ回路４０７は、Ｃ／Ｐ信号が「１」（文字エッジ領域）かつＢ／Ｃ信号が「Ｈ」（無彩領域）のときには、Ｃ、Ｍ、Ｙのデータをイレースする。これは、黒文字の時、黒成分のみで表現するためである。
【０１０３】
上記処理は、画像データがフルカラーの場合であり、例えば、２色モードで黒以外を赤にする場合には、マスキング係数を、Ｇ信号の濃度に応じてＲ成分（Ｍ、Ｙ）の出力のみとなる係数を設定する。ＵＣＲ回路４０７は、ＢｋとＭ、Ｙの値より、Ｂｋ成分を赤成分（Ｍ、Ｙ）出力することにより、２色（赤と黒）に変換する。
【０１０４】
また、ＵＣＲ回路４０７の出力画像信号ＩＭＧは、一時点はＣ、Ｍ、Ｙ、Ｂｋのうち一色であり、面順次の一色出力である。すなわち、スキャナ１００で４回原稿の読み取りを行うことにより、フルカラー（４色）データを生成する。また、白黒複写のときには、Ｂｋ作像一回でよいので、スキャナ１００で１回原稿を読み取るだけでよい。
【０１０５】
すなわち、カラー原稿か、白黒原稿かの判定機構があれば、原稿に応じた読み取り回数ですむため、操作者が、原稿に応じてカラー原稿か白黒原稿かを判断して複写する必要がなくなる。
【０１０６】
そして、本実施例のデジタルフルカラー複写装置１では、Ｂ／Ｃ信号がカラー原稿か、白黒原稿かの判定に参照する信号であり、原稿全面で、Ｂ／Ｃ信号が「Ｈ」（無彩領域）であったときに、メインコントローラ１０００が、白黒原稿と判定する。
【０１０７】
ＣＭＹＢｋフィルタ４０８は、カラープリンタ２００の周波数特性やＣ／Ｐ信号に応じて、Ｎ×Ｎの空間フィルタを用い、平滑化や鮮鋭化処理を行う。
【０１０８】
ＣＭＹＢｋγ補正４０９は、カラープリンタ２００の周波数特性やＣ／Ｐ信号に応じて、γカーブを変更して処理し、Ｃ／Ｐ信号が「１」（文字エッジ領域以外）以外のときは、画像を忠実に再現するγカーブを用い、Ｃ／Ｐ信号が「１」（文字エッジ領域）の時ときはγカーブを立たせてコントラストを強調する。
【０１０９】
階調処理部４１０は、カラープリンタ２００の階調特性やＣ／Ｐ信号に応じて、ディザ処理、誤差拡散処理等の量子化を行う。すなわち、階調処理部４１０は、Ｂｋ作像のときには、Ｃ／Ｐ信号が「１」以外（文字エッジ領域以外）のときは、階調重視の処理を行い、それ以外のときは、解像力重視の処理を行う。また、階調処理部４１０は、Ｂｋ以外の作像のときには、Ｃ／Ｐ信号が「０」（絵柄領域）のときは、階調重視の処理を行い、それ以外のときは、解像力重視の処理を行う。
【０１１０】
ＩＰＵ４００は、以上の処理をした画像データを、バッフアメモリを有するビデオコントロール４１１からカラープリンタ２００に、その画像データ書込み動作に同期して、出力する。そして、人の目で判別しにくい黄色で、装置（デジタルフルカラー複写装置１）の機番、製造番号、使用者ＩＤ等の情報を複写物に追跡パターン（孤立点の集合）として付加する。
【０１１１】
ＩＰＵ４００は、文字領域以外（Ｃ／Ｐ信号＝１以外）のときは、ＲＧＢフィルタ４０３で平滑化処理を行って、ＵＣＲ回路４０７でスケルトンブラックの処理を行い、ＣＭＹＢｋγ補正４０９でリニア（階調性）を重視したカーブを選択して、ＣＭＹＢｋフィルタ４０８および階調処理部４１０で階調を重視した処理を行う。
【０１１２】
一方、ＩＰＵ４００は、文字領域（Ｃ／Ｐ信号＝１でＢ／Ｃ信号＝Ｌ）のときは、ＲＧＢフィルタ４０３でエッジ強調処理を行って、ＵＣＲ回路４０７でフルブラック処理を行い、ＣＭＹＢｋγ補正４０９でコントラストを重視したカーブを選択して、ＣＭＹＢｋフィルタ４０８および階調処理部４１０で解像度を重視した処理を行う。
【０１１３】
また、ＩＰＵ４００は、黒文字処理（Ｃ／Ｐ信号＝１でＢ／Ｃ信号＝Ｈ）として、Ｂｋを除くＣ、Ｍ、Ｙの画像形成時には、Ｃ、Ｍ、Ｙデータを印字しないようにいして、黒文字の周りが位置ずれのために色付くのを防止する。
【０１１４】
なお、このとき、ＩＰＵ４００は、ＢｋデータのＲＧＢフィルタ４０３を、色文字のときよりもエッジ強調を強めに行って、クッキリさせてもよい。
【０１１５】
このようにＩＰＵ４００では、絵柄、文字エッジ、網点、低線数網点の４種の処理を行う。
【０１１６】
そして、上記原稿認識部４０１は、その機能ブロックを、図４のように、認識処理部４２１と追跡パターン処理部４２２で示すことができ、認識処理部４２１及び追跡パターン処理部４２２には、スキャナ１００の発生するＲ、Ｇ、Ｂの画像データがＩ／Ｆ１０１１を介してそれぞれ入力される。
【０１１７】
認識処理部４２１は、文字エッジ検出、絵柄検出及び有彩／無彩検出を行って、文字エッジ領域あるいは絵柄領域を表すＣ／Ｐ信号及び有彩領域／無彩領域を表すＢ／Ｃ信号を発生する。
【０１１８】
追記パターン処理部４２２は、入力データの追跡パターン（黄色孤立点）を検出して、除去を行うと同時に、認識処理部４２１の認識結果（Ｃ／Ｐ、Ｂ／Ｃ）と同期（位置）させて、除去後のＲＧＢの画像データを出力する。
【０１１９】
この追跡パターン処理部４２２は、大別すると、図５に示すように、ＲＧＢデータが入力される追跡パターン判定部４３１、Ｂデータが入力される置き換え画素算出部４３２及び追跡パターンと判定された画素を周辺の別の画素と置き換える追跡パターン置き換え部４３３を備えており、追跡パターン置き換え部４３３は、出力モード信号に基づいて追跡パターンの画素値置き換えを行うか否かの制御を行う。
【０１２０】
追跡パターン処理部４２２では、ＲＧデータは、変換対象とせずにＢのみの除去を行う。
【０１２１】
なお、以下の説明では、ＲＧＢの値が大きくなると黒くなり、ＲＧＢの値が小さくなると白くなるものとして説明する。
【０１２２】
上記追跡パターン判定部（孤立点検出手段）４３１は、図６に示すように、黄色画素検出部４４１とパターンマッチング部４４２を備えており、黄色画素検出部４４１に、ＲＧＢデータが入力される。黄色画素検出部４４１は、入力されるＲＧＢデータが、黄色画素か、黄色画素でないかの判定を行う。
【０１２３】
黄色画素検出部４４１は、まず、注目画素のＲＧＢデータを用いて、白画素であるか否かの判定を次の条件式（１）で行う。
【０１２４】
Ｍａｘ｛Ｒ、Ｇ、Ｂ｝＜ｔｈｗ・・・（１）
ここで、Ｍａｘ｛Ｒ、Ｇ、Ｂ｝は、Ｒ、Ｇ、Ｂデータの最大値を示しており、ｔｈｗは、予め設定するパラメータである。
【０１２５】
また、黄色画素検出部４４１は、色相判定を行い、注目画素の色相が黄色領域内であるか否かの判定を次の条件式（２）、（３）で行う。
【０１２６】
ＲＹ色相領域境界判定
（２）Ｒ−２×Ｇ＋Ｂ＞０・・・（２）
ＹＧ色相領域境界判定
１１×Ｒ−８×Ｇ−３×Ｂ＞０・・・（３）
さらに、黄色画素検出部４４１は、注目画素のＲＧＢの最大色差が、閾値ｔｈｙよりも大きいかどうかを次の条件式（４）で判定する。
【０１２７】
Ｍａｘ｛Ｒ、Ｇ、Ｂ｝−Ｍｉｎ｛Ｒ、Ｇ、Ｂ｝＞ｔｈｙ・・・（４）
ここで、Ｍａｘ｛｝は、｛｝内の最大値、Ｍｉｎ｛｝は、｛｝内の最小値を表している。
【０１２８】
黄色画素検出部４４１は、上記（１）〜（４）のすべての条件を満たす画素を黄色画素と判定する。
【０１２９】
すなわち、黄色画素検出部４４１は、黄色色相のドットを検出し、黄色色相のドットを検出すと、上記式である必要はない。
【０１３０】
追跡パターン処理部４２２は、黄色画素検出部４４１で判定した結果を用いて、パターンマッチング部４４２が、図７に示すようなパターンマッチングを行うことにより、追跡パターンの判定を行う。
【０１３１】
なお、図７では、×印の画素を注目画素としており、パターンマッチング部４４２は、例えば、７ｘ２１画素の範囲で、以下の条件に合致する場合を追跡パターンと判定して出力する。
【０１３２】
追跡パターン＝×印の画素が黄色画素かつハッチング画素が黄色画素でない
追跡パターンは、黄色の孤立ドットであるため、パターンマッチング部４４２では、黄色と非黄色のパターンマッチングを行っている。非黄色を白としていないので、色時上の追跡パターンを検出するためである。
【０１３３】
再び、図５に戻って、置き換え画素算出部４３２は、上記追跡パターン判定部４３１で追跡パターンと判定された画素に対して、置き換えるべき画素値を求める。
【０１３４】
例えば、図８に示すような×印の画素を注目画素とするマトリックスを考えた場合、置き換え画素算出部４３２は、黒丸で示す置き換え画素候補の中から置き換え画素値を以下の条件式（５）で算出する。
【０１３５】
置き換え画素値＝Ｍａｘ｛Ｂ（１、１）、Ｂ（１、２）、Ｂ（１、３）、Ｂ（１、９）、Ｂ（１、１０）、Ｂ（１、１１）、Ｂ（４、６）｝・・・（５）
なお、Ｍａｘ｛｝は、｛｝内の最大値を表し、Ｂ（１、１）は、１行１列目のＢデータを表している。
【０１３６】
図８で、置き換え候補画素が３画素連続しているのは、背景画素が複写機の出力の場合、ドットのあるなしの割合で階調を表現しているため、１ドットであると、濃いデータか薄いデータかどちらを取るかわからないためである。
【０１３７】
また、置き換え画素算出部４３２は、置き換え画素を検出する際に、ＲＧデータを参照してもよい。
【０１３８】
例えば、注目画素のＲ、Ｇ画素が、置き換え画素候補Ｒ１、Ｇ１としたとき、注目画素と置き換え画素候補の差が少ない画素（Ｒ―Ｒ１、Ｇ―Ｇ１）の中から、Ｂの最大値を決めるようにしてもよい。Ｙ成分で追跡パターンを印字した場合、Ｂ信号は追跡パターンの影響を受けるが、ＲＧは比較的追跡パターンの影響を受けないため、追跡パターン印字前のデータとなりやすい。
【０１３９】
追跡パターンが、Ｂのみの影響を受けるのは、Ｙ成分の分光特性が優れているためである。
【０１４０】
次に、追跡パターン置き換え部４３３について説明する。追跡パターン置き換え部４３３は、追跡パターン判定部４３１で追跡パターンと判定された画素に対して、画素値の置き換えを行なうことにより、追跡パターン画素を変更する。
【０１４１】
追跡パターン置き換え部４３３は、注目画素のＢデータ値と置き換え画素算出部４３２の置き換え画素のＢデータを比較し、注目画素値の方が所定の値αより大きいと、注目画素のＢデータを置き換え画素のＢデータとする。所定値αは、「０」以上である。上記置き換え画素算出部４３２及び追跡パターン置き換え部４３３は、全体として置き換え手段として機能している。
【０１４２】
ここで、注目画素より小さい値としているのは、黄色孤立点を除去するのを目的としているからであり、大きい値は、誤検出として置き換えは行わない。
【０１４３】
また、Ｂデータのみ置き換えるのは、上述したように、追跡パターンは、ＲＧには影響が少ないからである。
【０１４４】
さらに、所定の値αよりも大きい場合に置き換えているのは、もともと小さなデータは置き換えてもデータ値的には意味が無く、逆に、周辺画素との階調の連続性が崩れて、後段の処理により、階調飛びになる可能性があるからである。
【０１４５】
次に、本実施例の作用を説明する。デジタルフルカラー複写装置１は、スキャナ１００で原稿Ｇの画像を読み取って、カラープリンタ２００で記録紙に記録出力するが、このとき、原稿Ｇの画像データに黄色の孤立点があると、当該孤立点領域を所定濃度の置き換え画素と置き換えるが、このとき、当該孤立点領域と当該置き換え画素との濃度差が所定値αよりも大きいと、当該孤立点領域を当該置き換え画素と置き換える。
【０１４６】
すなわち、デジタルフルカラー複写装置１は、スキャナ１００のコンタクトガラス１０１上にセットされた原稿Ｇをスキャナ１００で主走査及び副走査して、原稿Ｇの画像を読み取り、当該スキャナ１００の読み取った原稿Ｇの画像データをＩＰＵ４００で必要な画像処理を施した後、カラープリンタ２００でプリントアウト（画像出力）し、また、スキャナ１００で読み取った原稿Ｇの画像データを遠隔のフアクシミリ装置に送信する。
【０１４７】
そして、ＩＰＵ４００は、スキャナ１００の読み取った原稿Ｇの画像データをカラープリンタ２００で記録紙に記録出力するために画像処理を施す際、ＩＰＵ４００の原稿認識部４０１で、黄色の孤立点の有無を判別して、孤立点があると、当該孤立点領域と置き換え画素との濃度差が所定値αよりも大きいと、当該孤立点領域を当該置き換え画素と置き換える。
【０１４８】
すなわち、原稿認識部４０１は、図４に示したように、認識処理部４２１と追跡パターン処理部４２２を備え、認識処理部４２１は、スキャナ１００から入力されるＲＧＢ画像データに対して、文字エッジ検出、絵柄検出及び有彩／無彩検出を行って、文字エッジ領域あるいは絵柄領域を表すＣ／Ｐ信号及び有彩領域／無彩領域を表すＢ／Ｃ信号を発生する。
【０１４９】
追記パターン処理部４２２は、スキャナ１００からの入力されるＲＧＢ画像データの追跡パターン（黄色孤立点）を検出して、除去を行うと同時に、認識処理部４２１の認識結果（Ｃ／Ｐ、Ｂ／Ｃ）と同期（位置）させて、除去後のＲＧＢの画像データを出力する。
【０１５０】
そして、追跡パターン処理部４２２は、図５に示したように、ＲＧＢデータが入力される追跡パターン判定部４３１、Ｂデータが入力される置き換え画素算出部４３２及び追跡パターンと判定された画素を周辺の別の画素と置き換える追跡パターン置き換え部４３３を備えており、追跡パターン置き換え部４３３は、出力モード信号に基づいて追跡パターンの画素値置き換えを行うか否かの制御を行う。そして、追跡パターン処理部４２２では、ＲＧデータは、変換対象とせずにＢのみの除去を行う。
【０１５１】
追跡パターン判定部４３１は、図６に示したように、黄色画素検出部４４１とパターンマッチング部４４２を備えており、黄色画素検出部４４１は、上記条件式（１）〜（４）に基づいて、入力されるＲＧＢデータが、黄色画素か、黄色画素でないかの判定を行う。
【０１５２】
パターンマッチング部４４２は、図７に示したようなパターンマッチングを行うことにより、追跡パターンの判定を行う。
【０１５３】
そして、図５の置き換え画素算出部４３２は、上記追跡パターン判定部４３１で追跡パターンと判定された画素に対して、例えば、図８に示したマトリックスの場合、条件式（５）に基づいて、置き換えるべき画素値を求める。
【０１５４】
そして、追跡パターン置き換え部４３３は、追跡パターン判定部４３１で追跡パターンと判定された画素に対して、画素値の置き換えを行なうことにより、追跡パターン画素を変更する。
【０１５５】
追跡パターン置き換え部４３３は、注目画素のＢデータ値と置き換え画素算出部４３２の置き換え画素のＢデータを比較し、注目画素値の方が、「０」以上の所定の値αより大きいと、注目画素のＢデータを置き換え画素のＢデータで置き換える。
【０１５６】
すなわち、原稿認識部４０１は、図９に示すように、ＲＧＢ画像データの注目画素が、黄色の孤立点（追跡パターン）であるか判別し（ステップＳ１０１）、注目画素が追跡パターンでないときには、画素の置き換えを行うことなく次の処理に移行する。
【０１５７】
ステップＳ１０１で、注目画素が追跡パターンであると、原稿認識部４０１は、当該孤立点領域である注目画素の画素値が、置き換え画素の画素値に所定値αを加えた画素値よりも大きいかチェック、すなわち、注目画素の画素と置き換え画素との濃度差が所定値αより大きいかチェックし（ステップＳ１０２）、注目画素の画素値が、置き換え画素の画素値に所定値αを加えた画素値以下であると、画素の置き換えを行うことなく次の処理に移行する。
【０１５８】
ステップＳ１０２で、孤立点領域である注目画素の画素値が、置き換え画素の画素値に所定値αを加えた画素値よりも大きいと、原稿認識部４０１は、当該注目画素値を当該置き換え画素値と置き換え（ステップＳ１０３）、次の処理に移行する。
【０１５９】
このように、本実施例のデジタルフルカラー複写装置１は、原稿の画像データの孤立点を所定の置き換え画素に置き換えるに際して、ＩＰＵ４０１の追跡パターン処理部４２２の追跡パターン判定部４３１で、原稿の画像データに黄色があるか否かで、孤立点を検出し、追跡パターン置き換え部４３３が、当該検出した孤立点領域が所定の置き換え画素との濃度差が所定値を越えていると、当該孤立点領域を当該置き換え画素と置き換えている。
【０１６０】
したがって、孤立点領域の不要な画素の置き換えをなくすことができ、周辺画像との連続性を保って、画像品質の良好な状態で孤立点の画素の置き換えを行う画像処理を施すことができる。
【０１６１】
また、本実施例のデジタルフルカラー複写装置１は、原稿の画像データの孤立点を所定の置き換え画素に置き換えるに際して、追跡パターン判定部４３１の黄色画素検出部４４１で、原稿の画像データに黄色があるか否かで、孤立点を検出し、追跡パターン置き換え部４３３が、当該検出した孤立点領域と置き換える複数の置き換え画素のうち最大値の置き換え画素が、当該孤立点領域よりも薄いときにのみ、当該孤立点領域を当該置き換え画素と置き換えている。
【０１６２】
したがって、孤立点の誤判定を抑制することができ、適切で画像品質の良好な状態で孤立点の画素の置き換えを行う画像処理を施すことができる。
【０１６３】
さらに、本実施例のデジタルフルカラー複写装置１は、原稿の画像データの孤立点を所定の置き換え画素に置き換えるに際して、追跡パターン判定部４３１の黄色画素検出部４４１で、原稿の画像データに黄色があるか否かで、孤立点を検出し、追跡パターン置き換え部４３３が、当該検出した孤立点領域と置き換える複数の置き換え画素のうち、Ｒ、Ｇの画像データ値の近い画像データと置き換えている。
【０１６４】
したがって、孤立点の誤判定を抑制することができ、追跡パターンの打たれていない状態の画素に変換することができる。
【０１６５】
また、本実施例のデジタルフルカラー複写装置１は、複数の置き換え画素として、少なくとも１つは隣接する画素を含んでいる。
【０１６６】
したがって、置き換え対象画素を、隣接した画像データを参照して設定して、複写原稿の出力パターンの影響を受けることを防止することができ、適切で画像品質の良好な状態で孤立点の画素の置き換えを行う画像処理を施すことができる。
【０１６７】
さらに、本実施例のデジタルフルカラー複写装置１は、追跡パターン置き換え部４３３が、孤立点領域のＲＧＢ画像データのうちＢ画像データのみを置き換え対象データとして置き換えている。
【０１６８】
したがって、黄色孤立点がＢ信号に影響することから、置き換え対象画素をＢのみとして、ＲＧ信号が、誤判定時の影響を受けないようにすることができ、孤立点の誤判定を抑制して、適切で画像品質の良好な状態で孤立点の画素の置き換えを行う画像処理を施すことができる。
【０１６９】
また、本実施例のデジタルフルカラー複写装置１は、追跡パターン判定部４３１が、孤立点として、装置の機番、製造番号、使用者ＩＤ等の情報からなる追跡パターンを検出している。
【０１７０】
したがって、追跡パターンを適切にかつ画像品質を良好な状態で置き換え画素で置き換えることができる。
【０１７１】
さらに、本実施例のデジタルフルカラー複写装置１は、画像データの出力モードが２色モードであるときに、孤立点領域を置き換え画素と置き換えている。
【０１７２】
したがって、孤立点領域が２色モード時に他の色に変換されてしまうことを防止することができ、適切で画像品質の良好な状態で孤立点の画素の置き換えを行う画像処理を施すことができる。
【０１７３】
そして、本実施例のデジタル複写装置フルカラー複写装置１は、原稿を走査して当該原稿の画像を色分解して読み取った当該原稿の画像データの孤立点を、ＩＰＵ４０１で、所定の置き換え画素に置き換えるに際して、ＩＰＵ４０１で、上記孤立点領域を置き換え画素で置き換える画像処理を行っている。
【０１７４】
したがってを、孤立点領域の不要な画素の置き換えを行うことなく、周辺画像との連続性を保つことができ、画像品質の良好な状態で孤立点の画素の置き換えを行う画像処理を施すことができる。
【０１７５】
また、本実施例のデジタル複写装置フルカラー複写装置１は、原稿の画像データの孤立点を、ＩＰＵ４０１で、所定の置き換え画素に置き換える画像処理を施し、当該画像処理後の画像データに基づいて画像を用紙上に記録出力するに際して、ＩＰＵ４０１で、上記孤立点領域を置き換え画素で置き換える画像処理を行っている。
【０１７６】
したがって、孤立点領域の不要な画素の置き換えを行うことなく、周辺画像との連続性を保つことができ、画像品質の良好な状態で孤立点の画素の置き換えを行う画像処理を施した画像を記録出力することができる。
【０１７７】
さらに、本実施例のデジタル複写装置フルカラー複写装置１は、スキャナ１００で、原稿を走査して当該原稿の画像を色分解して読み取った当該原稿の画像データの孤立点を、ＩＰＵ４０１で、所定の置き換え画素に置き換える画像処理を施し、カラープリンタ２００で、当該画像処理後の画像データに基づいて画像を用紙上に記録出力するに際して、ＩＰＵ４０１で、上記孤立点領域を置き換え画素で置き換える画像処理を行っている。
【０１７８】
したがって、孤立点領域の不要な画素の置き換えを行うことなく、周辺画像との連続性を保つことができ、画像品質の良好な状態で孤立点の画素の置き換えを行う画像処理を施した画像を記録出力することができる。
【０１７９】
また、本実施例のデジタル複写装置フルカラー複写装置１は、外部装置に接続され、当該外部装置からのプリント指示コマンドと画像データを受け取って、ＩＰＵ４０１で、画像データの孤立点領域を置き換え画素と置き換える画像処理を施し、カラープリンタ２００で当該画像処理後の画像データに基づいて画像を用紙上に記録出力している。
【０１８０】
したがって、外部装置から入力される画像データに対しても、孤立点領域の不要な画素の置き換えを行うことなく、周辺画像との連続性を保つことができ、画像品質の良好な状態で孤立点の画素の置き換えを行う画像処理を施した画像を記録出力することができる。
【０１８１】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【０１８２】
原稿から読み取った画像データに追跡パターンが含まれているか否か判定して、出力画質モードに対応して画像処理を行う画像処理装置及び画像処理装置を搭載する画像読取装置やカラー複写装置等に適用することができる。
【図面の簡単な説明】
【０１８３】
【図１】本発明の画像処理装置、画像読取装置及びカラー複写装置の一実施例を適用したデジタルフルカラー複写装置の正面概略構成図。
【図２】図１のデジタルフルカラー複写装置の要部ブロック構成図。
【図３】図２のＩＰＵの詳細な回路ブロック構成図。
【図４】図３の原稿認識部の回路ブロック構成図。
【図５】図４の追跡パターン処理部の回路ブロック構成図。
【図６】図５の追跡パターン判定部の回路ブロック構成図。
【図７】図６のパターンマッチング部でのパターンマッチング処理の説明図。
【図８】図５の置き換え画素算出部による置き換え画素値の算出処理の説明図。
【図９】図４の原稿認識部による追跡パターン検出置き換え処理を示すフローチャート。
【符号の説明】
【０１８４】
１  デジタルフルカラー複写装置
Ｇ  原稿
１００  スキャナ
１０１  コンタクトガラス
１０２  圧板
１０３  第１走行体
１０４  照明ランプ
１０５  ミラー
１０６  第２走行体
１０７、１０８  ミラー
１０９  レンズ
１１０  ３ラインＣＣＤセンサ
１２０  ＡＤＦ
１２１  搬送モータ
１２２  原稿セット検知センサ
２００  カラープリンタ
２０１  光書込ユニット
２０２  感光体ドラム
２０３  レーザ発光器
２０４  ポリゴンミラー
２０５  回転用モータ
２０６  ｆθレンズ
２０７  反射ミラー
２１１  感光体クリーニングユニット
２１２  除電ランプ
２１３  帯電器
２１４  電位センサ
２１５  リボルバー現像装置
２１５Ｋ〜２１５Ｍ  現像器
２１５ＫＳ〜２１５ＹＳ  現像スリーブ
２１６  現像濃度パターン検知器
２１７  中間転写ベルト
２１８  駆動ローラ
２１９  転写対向ローラ
２２０  クリーニング対向ローラ
２２１  ベルト転写コロナ放電器（ベルト転写部）
２２２  紙転写コロナ放電器
２２３  ベルトクリーニング装置
２２４  レジストローラ対
２２５  紙搬送ベルト
２２６  定着器
２２６Ａ  定着ローラ
２２６Ｂ  加圧ローラ
２２７  排出ロール対
３００  給紙部
３０１  転写紙カセット
３０２  給紙コロ
３１０  手差し給紙トレイ
４００  ＩＰＵ
４０１  原稿認識部
４０２  ＲＧＢγ補正部
４０３  ＲＧＢフィルタ
４０４  色補正部
４０５  変倍部
４０６  Ｉ／Ｆ
４０７  ＵＣＲ回路
４０８  ＣＭＹＢｋフィルタ
４０９  ＣＭＹＢｋγ補正部
４１０  階調処理部
４１１  ビデオコントロール
４１２  ＲＡＭ
４１３  ＣＰＵ
４１４  ＲＯＭ
４１５、４１６  Ｉ／Ｆ
４２１  認識処理部
４２２  追跡パターン処理部
４３１  追跡パターン判定部
４３２  置き換え画素算出部
４３３  追跡パターン置き換え部
４４１  黄色画素検出部
４４２  パターンマッチング部
５００  ソータ
１０００  メインコントローラ
１００１  ＩＣカード
１００２  スキャナコントローラ
１００３  エンジンコントローラ
１００４  ソータコントローラ
１００５  エディタ
１００６  プリンタコントローラ
１００７  ＦＡＸコントローラ
１００８  パラレルＩ／Ｆコントロール
１００９  ＬＡＮコントロール
１０１０  通信コントロール
１０１１  Ｉ／Ｆ
１０１２  ＢＲユニット
１０２０  操作／表示部
【図１】
2005065031.tif 000003
【図２】
2005065031.tif 000004
【図３】
2005065031.tif 000005
【図４】
2005065031.tif 000006
【図５】
2005065031.tif 000007
【図６】
2005065031.tif 000008
【図７】
2005065031.tif 000009
【図８】
2005065031.tif 000010
【図９】
2005065031.tif 000011